(57)【要約】      （修正有）【課題】飲料入れのペットボトル或いは１升瓶等から飲料をコップに移し取るのに簡単な操作で汲取ることの出来る手動ポンプを提供する。【解決手段】ペットボトルＡの注口ネジＡａに噛み合い着脱自在でなる筒状栓体１の底面１ａに空気孔２を設け、該筒状栓体１筒体の片端に、中空扁平状で、孔３ｃ付き逆止弁３ａ付きでなる蛇腹ポンプ本体３の開口部３ｂを連係一体化し、当該底面１ａには、貫通して設けた直下する細長い吸込みパイプ４の片方の端子４ａを筒状栓体１の外周に引き出して吐出口５にした構成とす。また、前記する筒状栓体１の雌ネジに該雌ネジより太い第２雌ネジ付きでの２段ネジにし、例えば、２リットル入れ用ペットボトルＡ或いは４リットル入れペットボトルの双方に共用可能な構成にする。【選択図】図１
0003142727.tif 000002
【実用新案登録請求の範囲】
【請求項１】
ペットボトルＡの注口ネジＡａに噛み合い着脱自在でなる筒状栓体１の底面１ａに空気孔２を設け、該筒状栓体１筒体の片端に、中空扁平状で、孔３ｃ付き逆止弁３ａ付きでなる蛇腹ポンプ本体３の開口部３ｂを連係一体化し、当該底面１ａには、貫通して設けた直下する細長い吸込みパイプ４の片方の端子４ａを筒状栓体１の外周に引き出して吐出口５にしたことを特徴とするペットボトル取り付けポンプ。
【請求項２】
前記する筒状栓体１の雌ネジ１ｂに該雌ネジ１ｂより太い第２雌ネジ１ｃ付きでの２段ネジにし、例えば、２リットル入れ用ペットボトルＡ或いは４リットル入れペットボトルＡＡの双方に共用可能にしたことを特徴とする請求項１記載のペットボトル取り付けポンプ。
【請求項３】
前記する蛇腹ポンプ本体３の頂部６に回動自在で接合する閉じ蓋７を設け、該閉じ蓋７の開口部側面には、等間隔で成る複数の爪部８が、蛇腹ポンプ本体３の底部９に一体構成する止め板１０の円周状に等間隔に突き出たストッパー１０ａと、蛇腹の縮小時に、回動結合可能にしたことを特徴とする請求項１又は２項記載のペットボトル取り付けポンプ。
【請求項４】
前記する筒状栓体１の雌ネジ１ｂと第２雌ネジ１ｃを排除してなる軟質材の筒状体１１にしたことを特徴とする請求項１，２又は３項記載のペットボトル取り付けポンプ。
【考案の詳細な説明】
【技術分野】
【０００１】  この考案は、ペットボトルや一升瓶等の飲料容器から飲料をコップ等に汲み出すに使う、手動ポンプに関する。詳しくは、飲料容器の注口に差し込んで使う、手動ポンプの蛇腹ポンプ本体の頂面部を手の平で軽い押し圧のワンタッチ操作で汲み出す事の出来る手動ポンプに関する。
【背景技術】
【０００２】  此の種の従来の技術として図５で示す様に、一般的に知られる手動ポンプは、樹脂製で中空筒状で蛇腹構成での、握り易い太さからなる蛇腹ポンプ本体３００の片方に設けた開口部３０ｂに、筒状栓体１００が結合されるが、他方の端は、逆止弁３０ａを介在して、細長い直線状の吸い込みパイプ４００にと伸びている。【０００３】  そして、筒状栓体１００の外周には、逆止弁３０ａに隣接して設けた屈曲自在でなる蛇腹パイプ体３０ｄが接続されて、其の端子が吐出口５００として液体が吐出する構成で、更には、前記逆止弁３０ａと連係して作動する逆止弁３０ａが、筒状栓体１００外周に接続する蛇腹パイプ体３０ｄの入れ口３０ｅに装備してなる手動ポンプの構成である。【０００４】  これらの構成からなる手動ポンプは、一般家庭で使う冬場での暖房器具に装着する灯油カセットの灯油補充の為の、手動ポンプとして利用され使われている。即ち、貯め置き灯油タンクの開閉口に手動ポンプの吸い込みパイプ４００を差し込み、蛇腹パイプ体３０ｄを灯油カセットの灯油口に差し込んだままで、蛇腹ポンプ本体３００の外周を繰り返しの握り操作によって、逆止弁３０ａが閉成体と開成体作動が、吸い込みパイプ４００が灯油を吸い込み蛇腹パイプ本体３００中空部に吸い上げた灯油が、逆止弁３０ａを通過して灯油は吐出口５００より注出されることで、灯油タンクから灯油カセットに移されることになる。
【考案の開示】
【考案が解決しようとする課題】
【０００５】  しかしながら、上記する従来技術の場合は、ポンプ操作は蛇腹ポンプ本体の弾発性樹脂製での外周の太さを握り易い細い太さの為、蛇腹ポンプ本体の容積がおのずから小さくなる事から空気体積が少なく、液体の吸い込み圧が小さいため、握りの数回を握り返しながら少しづつ汲みとる事しか出来ない等の課題がある。【０００６】  また、手動ポンプの利用者が蛇腹ポンプ体を握る為の握力が弱っている時など操作に難がある等の課題や、蛇腹ポンプ体に吸い込んだ液体が蛇腹ポンプ体の外周の凸凹に残留するなどで、これらの残留異物が長い間に変質したりする等で、吐出液体に混入すなどの課題が残る。
【課題を解決する為の手段】
【０００６】  この考案はかかる課題を解決する為に、請求項１での考案を図１で述べる様に、ペットボトルＡの注口ネジＡａに噛み合い着脱自でなる筒状栓体１の底面１ａに空気孔２を設け，該筒状栓体１筒体の片端に、中空扁平状で、孔３ｃ付き逆止弁３ａ付きでなる蛇腹ポンプ体３の開口部３ｂを連係一体化し、当該底面１には、貫通して設けた直下する細長い吸い込みパイプ４の片方の端子４ａを筒状栓体１の外周に引き出した吐出口５の構造にする。
【０００７】  次ぎに、請求項２での考案を図２で述べる様に、前記する筒状栓体１の雌ネジ１ｂに該雌ネジ１ｂより太い第２雌ネジ１ｃ付きでの２段ネジにし、例えば、２リットル入れ用ペットボトルＡ或いは４リットル入れペットボトルＡＡの双方に共用可能にした構造とする。
【０００８】  次ぎにまた、請求項３での考案を図３と４で述べるに、前記する蛇腹ポンプ本体３の頂部６に回動自在で接合する閉じ蓋７を設け、該閉じ蓋７の開口部側面には、等間隔で成る複数の爪部８が、蛇腹ポンプ本体３の底部９に一体構成する止め板１０の円周状に等間隔に突き出たストッパー１０ａと、蛇腹の縮小時に、回動結合可能な構造とする。
【０００９】  次ぎにまた、請求項４での考案は図３を使って述べる様に、前記する筒状栓体１の雌ネジ１ｂと第２雌ネジ１ｃを排除してなる軟質材の筒状体１１の構造とする
【考案の効果】
【００１０】  本考案は上述に通り構成作用するので、次ぎの優れた効果を奏する。即ち、「請求項１」での効果は、家庭で冷蔵庫等から持ちだし、卓上に置かれたペットボトルの飲み物をコップに移し取るのに、蛇腹ポンプ本体の吸い込みパイプをペットボトルにねじ込み、吐出口にコップを持っていき、蛇腹ポンプ本体を握る事無く、頂部を手の平で弱い押し圧で汲取ることが出来る、握力の弱い利用者でも楽に使えるペットボトル取り付けポンプを提供出来る。
【００１１】  また、「請求項２」での効果は、１台のポンプで、ペットボトルの口径違いの２種類の飲料汲取りに使える。また、「請求項３」での効果はペットボトルに、蛇腹ポンプ本体の吸い込みパイプをペットボトルに差し込んだまま、閉じ蓋を使い蛇腹本体を縮めてホールドし，背高を低くして、冷蔵庫に収納が出来、冷したままのペットボトルを取りだしてポンプ操作が出来る。また、「請求項４」での効果は、一升ビンの様にネジ無しでの口径に固めに差し込んで使える、ペットボトル取り付けポンプを提供出来。
【考案を実施するための最良の形態】
【００１２】  以下に図示の実施例に基づいて、本考案を更に詳細に説明する。即ち、図１は本考案での第１実施例の、一部断面での使用例を示しての正面図である。
ペットボトルの注口ネジに噛み合う樹脂製でネジ付き筒状でなる筒状栓体１は、ネジのある開口部に対向して設けた底面１ａ上部は口径の大きい開口部は、樹脂製で弾発性蛇腹の伸縮復元の中空扁平でなる蛇腹ポンプ本体３の、其の開口部３ｂを前記する筒状栓体１の底面１ａ上部の開口部に結合固着での一体化構成とする。【００１３】  そして、上記する蛇腹ポンプ本体３に一体化でのネジ付きの筒状栓体１の底面１ａには蛇腹ポンプ本体３の開口部３ｂに通じる細い空気孔２が接続され、中空扁平内に密閉された空気が、蛇腹ポンプ本体３の伸縮操作で、空気孔２に空気圧が吹き込まれる。【００１４】  また、筒状栓体１には空気孔２に並列して細長いパイプ状のペットボトルの飲料を通す吸い込みパイプ４が底面１ａ直下し、その他方の端子は底面１ａの肉厚内を略直角曲がりで通過し筒状栓体１の外周に向け、外部に端子４ａが露出した吐出口５での構成で、飲料水を其の口から取り出す事になる。【００１５】  更に、これらの蛇腹ポンプ本体３の開口部３ｂは、一体化する筒状栓体１を貫通して設けた逆止弁３ａ付きの孔３ｃを外気に向けた通路にすることで、蛇腹ポンプ本体３の頂部６の押し圧操作（矢印ａ方向）の伸縮による空気の通路は孔３ｃを通り、筒状栓体１にネジ込み接続する密閉体ペットボトルに付加することで、内圧上昇が飲料面に付加し、吸い込みパイプ４の吐出口５に向け（矢印ａ方向）飲料が排出する。【００１６】  次ぎに、図２は本考案での第２実施例の、一部断面での正面図で、上記する筒状栓体１に設けた雌ネジ１ｂより口径の太い第２雌ネジ１ｃ付きでの２段ネジにした２モードネジ付きでの筒状栓体１にし、ペットボトルＡからの飲料水汲取りに１台のポンプでペットボトルＡ口径違いの２つの組み付けの出来る構成で、例えば一般的に市販されている２リット用ペットボトルＡと４リットル用ペットボトルＡＡの口径違いネジを兼用可能な構成とし雌ネジ１ｂには２リットルを差し込みネジ固定でのポンプ操作で、もう１個の４リットルは、第２雌ネジ１ｃに差し込みネジ固定での操作が可能にしている。【００１７】  次ぎに、図３と図４は本考案での第３実施例の斜視図で，前記する蛇腹ポンプ体３の頂部６に回動自在で接合する閉じ蓋７を設け、該閉じ蓋７の開口部側面には、等間隔で成る複数の引っ掛け８ａ付きでの爪部８が出っ張り、更に、蛇腹ポンプ体３の底部９に一体構成する円板状の止め板１０が一体構成で，其の円周上には等間隔に突き出るストッパー１０ａを付けて、前記する閉じ蓋７が蛇腹ポンプ体３の矢印方向に縮少し、同期し移動しストッパー１０ａに接近し、閉じ蓋７の爪部８に一体化でなる引っ掛け８ａが、ストッパー１０ａに接合した時点で閉じ蓋７を矢印方向に回動操作で双方が、結合ロックされ蛇腹ポンプ体３が縮んだままホールドする構成である。これらのホールドされた蛇腹ポンプ体３が、ペットボトルにセットされた形態で冷蔵庫に収納出来るペットボトルの背高をコンパクトにするに利用される。おのずか吐出口５孔にはキャップ１２が差し込まれることで、飲料水が気抜けすること無く収納出来る。【００１８】  次ぎに、本考案での第４実施例は前記で述べた図３斜視図で複合での説明とするが、前記する筒状栓体１の雌ネジ１ｂとそれに連なる第２雌ネジ１ｃは取り除かれ、伸縮性のある軟質材の筒状体１１での構成で、これらは、一升瓶やネジの無い注口の不特性太さに固めに整合と着脱の出来るポンプの装着を可能にする構成である。
【図面の簡単な説明】
【００１９】
【図１】  本考案に係わる第１実施例の一部断面での使用例を兼ねての正面図である。
【図２】  本考案に係わる第２実施例の一部断面での全体正面図である。
【図３】  本考案に係わる第３実施例の全体を示す斜視図である。
【図４】  本考案に係わる第３実施例での使用例を示す斜視図である。
【図５】  従来技術での一部断面で詳細を示しての斜視図である。
【符合の説明】
【００２０】  Ａ，ＡＡ      ペットボトル
Ａａ          注口ネジ
１，１００    筒状栓体
１ａ          底面
１ｂ          雌ネジ
１ｃ          第２雌ネジ
２            空気孔
３、３００    蛇腹ポンプ体
３ａ、３０ａ  逆止弁
３ｂ、３０ｂ  開口部
３ｃ，３０ｃ  孔
３０ｅ        入れ口
４，４００    吸い込みパイプ
４ａ          端子
５，５００    吐出口
６            頂部
７            閉じ蓋
８            爪部
９            底部
１０            止め板
１０ａ          ストッパー
１１            筒状体
１２            キャップ
【図１】
0003142727.tif 000003
【図２】
0003142727.tif 000004
【図３】
0003142727.tif 000005
【図４】
0003142727.tif 000006
【図５】
0003142727.tif 000007